(57)【要約】【課題】  ＡＣアダプタの種類情報と対応付けられた情報処理装置動作情報に基づいて動作可能な情報処理装置および該情報処理装置にて実行される動作制御方法を提供する。【解決手段】  ＡＣアダプタの種類情報とコンピュータの動作情報との組み合わせ情報に含まれるＡＣアダプタの種類情報に基づいて、ＡＣアダプタの種類を判別する。判別したＡＣアダプタの種類情報と対応付けられているコンピュータ１の動作情報に基づいてコンピュータ１を制御する。【選択図】  図４
2007102371.tif 000002
【特許請求の範囲】
【請求項１】
ACアダプタを介して供給される商用電源によって駆動可能な情報処理装置において、
本体と、
前記本体に前記ACアダプタが接続されているか否かを判別する手段と、
前記本体に前記ACアダプタが接続されている場合、ACアダプタの種類情報と対応付けられた本情報処理装置の動作情報に基づいて本情報処理装置の動作を制御する制御手段と、
を具備することを特徴とする情報処理装置。
【請求項２】
低消費電力モードで本情報処理装置を起動する起動手段をさらに具備し、
前記起動手段によって本情報処理装置を前記低消費電力モードで起動した後、前記制御手段は前記ACアダプタの種類情報と対応付けられた本情報処理装置の動作情報に基づいて本情報処理装置の動作を制御することを特徴とする請求項１記載の情報処理装置。
【請求項３】
表示部をさらに具備し、
前記表示部は、ACアダプタの種類情報および前記ACアダプタの種類情報に対応付けられた本情報処理装置の動作情報を表示することを特徴とする請求項１記載の情報処理装置。
【請求項４】
本情報処理装置を起動する起動手段をさらに具備し、
前記起動手段によって本情報処理装置を起動した後、前記ACアダプタの種類情報と対応付けられた本情報処理装置の動作情報を選択する設定手段と、
前記制御手段は、前記設定手段によって選択された本情報処理装置の動作制御情報に基づいて本情報処理装置の動作を制御することを特徴とする請求項１記載の情報処理装置。
【請求項５】
前記ACアダプタの種類情報と対応付けられた本情報処理装置の動作情報を選択する設定手段をさらに具備し、
前記制御手段は、前記設定手段によって選択された本情報処理装置の動作制御情報に基づいて本情報処理装置の動作を制御することを特徴とする請求項１記載の情報処理装置。
【請求項６】
ACアダプタを介して供給される商用電源によって駆動可能な情報処理装置の動作制御方法において、
前記情報処理装置の本体にACアダプタが接続されているか否かを判別し、
前記本体に前記ACアダプタが接続されている場合、ACアダプタの種類情報と対応付けられた本情報処理装置の動作情報に基づいて本情報処理装置の動作を制御することを特徴とする動作制御方法。
【請求項７】
前記情報処理装置を低消費電力モードで起動し、
前記情報処理装置を前記低消費電力モードで起動した後、前記ACアダプタの種類情報と対応付けられた前記情報処理装置の動作情報に基づいて前記情報処理装置の動作を制御することを特徴とする請求項６記載の動作制御方法。
【請求項８】
ACアダプタの種類情報および前記ACアダプタの種類情報に対応付けられた本情報処理装置の動作情報を前記情報処理装置の具備する表示部に表示することを特徴とする請求項６記載の情報処理装置。
【請求項９】
前記情報処理装置を起動し、
前記情報処理装置を起動した後、前記ACアダプタの種類情報と対応付けられた本情報処理装置の動作情報を選択し、
前記選択された前記情報処理装置の動作制御情報に基づいて前記情報処理装置の動作を制御することを特徴とする請求項６記載の動作制御方法。
【請求項１０】
前記ACアダプタの種類情報と対応付けられた前記情報処理装置の動作情報を選択し、
前記選択された前記情報処理装置の動作制御情報に基づいて前記情報処理装置の動作を制御することを特徴とする請求項６記載の動作制御方法。
【発明の詳細な説明】
【技術分野】
【０００１】
本発明は、情報処理装置に関し、特に、ＡＣアダプタを介して供給される商用電源にて駆動可能な情報処理装置に関する。
【背景技術】
【０００２】
近年、様々なタイプの情報処理装置が開発されている。情報処理装置を駆動する場合、情報処理装置にＡＣアダプタを接続し、ＡＣアダプタを介して外部商用電源を利用する。
【０００３】
ＡＣアダプタには最大定格電流が定義されている。一方、情報処理装置が消費する電力量の最大値も定義されている。
【０００４】
従って、情報処理装置に接続されるべきＡＣアダプタをユーザが選択するにあたり、情報処理装置の最大消費電力量をカバーすることが可能なＡＣアダプタをユーザが選択する必要がある。
【０００５】
また、ＡＣアダプタで駆動可能な情報処理装置の中には、専用の１つのＡＣアダプタでしか駆動できない情報処理装置のみならず、複数のＡＣアダプタで駆動可能な情報処理装置がある（特許文献１参照。）。
【特許文献１】特開２００５−１８４１６号公報（第４頁、第１図）
【発明の開示】
【発明が解決しようとする課題】
【０００６】
しかしながら、特許文献１に開示されている情報処理装置では、複数のＡＣアダプタを接続可能であるために、情報処理装置に適切なＡＣアダプタが接続されていない場合、ユーザの意図しない動作を情報処理装置が行うことがある。
【０００７】
そこで、本発明は、予め設定された動作モードで駆動可能な情報処理装置および該情報処理装置にて実行される動作制御方法を提供することを目的とする。
【課題を解決するための手段】
【０００８】
上記目的を達成するために、請求項１に係わる情報処理装置は、ACアダプタを介して供給される商用電源によって駆動可能な情報処理装置において、本体と、前記本体に前記ACアダプタが接続されているか否かを判別する手段と、前記本体に前記ACアダプタが接続されている場合、ACアダプタの種類情報と対応付けられた本情報処理装置の動作情報に基づいて本情報処理装置の動作を制御する制御手段と、を具備することを特徴とする。
【０００９】
また、請求項６に係わる動作制御方法は、ACアダプタを介して供給される商用電源によって駆動可能な情報処理装置の動作制御方法において、前記情報処理装置の本体にACアダプタが接続されているか否かを判別し、前記本体に前記ACアダプタが接続されている場合、ACアダプタの種類情報と対応付けられた本情報処理装置の動作情報に基づいて本情報処理装置の動作を制御することを特徴とする。
【発明の効果】
【００１０】
本発明によれば、予め設定された動作モードで駆動可能な情報処理装置および該情報処理装置にて実行される動作制御方法を提供することが可能となる。
【発明を実施するための最良の形態】
【００１１】
図１はノートブック型パーソナルコンピュータ（以下、コンピュータと称す。）１のディスプレイユニット３を本体２に対して開いた状態の一例を示す斜視図である。
【００１２】
コンピュータ１は本体２とディスプレイユニット３とから構成される。ディスプレイユニット３には、ＬＣＤ（Liquid Crystal Display）４を有する表示装置が組み込まれており、ＬＣＤ４はディスプレイユニット３のほぼ中央に位置される。
【００１３】
ディスプレイユニット３は、本体２に対して開放位置と閉塞位置との間を回動自在に取り付けられる。本体２は略箱形の形状を有しており、本体２の上面にはキーボード５、コンピュータ１の電源オン／オフするためのパワーボタン６等が配置される。パワーボタン６はコンピュータ１を使用開始する際、押し下げ操作される。
【００１４】
本体２の例えば背面部にはＡＣアダプタ７を接続するためのケーブルが接続されるコネクタが設けられる。ＡＣアダプタ７は商用電源といった外部電源に接続されており、ＡＣアダプタ７はコンピュータ１に電源を供給する。次に、コンピュータ１の構成について説明する。
【００１５】
図２はコンピュータ１の構成の一例を示す図である。
【００１６】
ホストハブ（第１のブリッジ回路）１１には、ＣＰＵ１０、メインメモリ１３、グラフィックスコントローラ１５およびＩ／Ｏ（Input/Output）ハブ２０が接続されている。
【００１７】
ホストハブ１１はシステムバス１２を介してＣＰＵ１０と接続される。ホストハブ１１はメインメモリ１３へのアクセスを制御するメモリコントローラを内蔵する。
【００１８】
ＣＰＵ１０はコンピュータ１のシステムを制御するメインプロセッサである。ＣＰＵ１０は外部記憶装置であるＨＤＤ２１からメモリバス１４を介してメインメモリ１３にロードされる、オペレーティングシステム（ＯＳ）１３ｂ、アプリケーションプログラム、ユーティリティプログラムを実行する。
【００１９】
また、ＣＰＵ１０はＢＩＯＳ−ＲＯＭ２７からメインメモリ２３にロードされたＳｙｓｔｅｍ  ＢＩＯＳ（Basic Input Output System）１３ａを実行する。
【００２０】
ホストハブ１１にＡＧＰ（Accelerated Graphics Port）バス１６を介して接続されるグラフィクスコントローラ１５はＬＣＤ４にデジタル表示信号を出力する。グラフィクスコントローラ１５にはビデオメモリ（ＶＲＡＭ）１７が接続されており、グラフィックスコントローラ１５はＯＳ／アプリケーションプログラムによってビデオメモリ１７に描画されたデータをＬＣＤ４に表示する。
【００２１】
ホストハブ１１と例えばハブインターフェイスといった専用バスで接続されるＩ／Ｏハブ（第二のブリッジ回路）２０は、ＬＰＣ（Low pin count）バス２６上の各デバイスを制御する。
【００２２】
Ｉ／Ｏハブ２０は、シリアルＡＴＡ規格をサポートするシリアルＡＴＡバス２１ａを介して外部記憶装置でありシリアルＡＴＡ規格をサポートするＨＤＤ２１と接続される。
【００２３】
ＨＤＤ（磁気ディスクデバイス）２１は磁気ディスクデバイスである。ＨＤＤ２１にはオペレーティングシステム（ＯＳ）１３ｂ、アプリケーションプログラム、ユーティリティプログラムおよびアプリケーションプログラムを使用することで生成されたデータ等が記憶される。
【００２４】
また、Ｉ／Ｏハブ２０には、ＬＡＮコントローラ２４、オーディオコーディック２３、ＢＩＯＳ-ＲＯＭ２７およびＣＭＯＳ２９が接続される。
【００２５】
ＬＡＮコントローラ２４は通信コントローラであり、ＭＡＣ（Media Access Controller）と物理層（ＰＨＹ）トランシーバが実装される。ＬＡＮコントローラ２４は所定の通信プロトコルに従って他の通信装置と通信を行い、通信速度の異なる複数の通信モードで通信を行うことが可能である。
【００２６】
ＬＡＮコントローラ２４にはＬＡＮコネクタ２４ａが接続される。ＬＡＮコネクタ２４ａの一例として、絶縁用トランスフォーマで構成されるＲＪ−４５コネクタ等が挙げられる。
【００２７】
オーディオコーディック２３はＩ／Ｏハブ２０とＡＣ（Audio Codec）９７（２２）を介して接続される。オーディオコーディック２３は、サウンド入出用のコーディックの一種である。オーディオコーディック２３は、入出力されるサウンドのコーディック部等を有する。
【００２８】
オーディオコーディック２３にはＡＭＰ２５ａが接続される。ＡＭＰ２５ａはオーディオコーディック２３にて生成されたサウンド信号を増幅する。ＡＭＰ２５ａによって増幅されたサウンド信号はスピーカに送出され、スピーカは可聴周波数帯の音波を出力する。
【００２９】
ＢＩＯＳ−ＲＯＭ２７はＳｙｓｔｅｍ  ＢＩＯＳ１３ａ等を記憶する記憶媒体である。ＢＩＯＳ−ＲＯＭ２７として使用される記憶媒体は、プログラムの書き換えが可能である記憶媒体、例えばフラッシュメモリ等である。
【００３０】
Ｓｙｓｔｅｍ  ＢＩＯＳ１３ａは各種ハードウェアにアクセスするためのファンクション実行ルーチンを体系化したプログラムである。Ｓｙｓｔｅｍ  ＢＩＯＳ１３ａには、システムに対するパワーオン時に各種デバイスの初期化及びテストを行うＩＲＴルーチンと、各種ハードウェアを制御するためのドライバ群が含まれる。
【００３１】
ＣＭＯＳ（complementary metal-oxide semiconductor）２９にはＲＴＣ（Real Time Clock）２９ａが内蔵される。ＲＴＣ２９ａは日時をカウントするモジュールであり、システム電源オフ状態時においても内蔵電池から供給される電源を用いて動作する。
【００３２】
ＣＭＯＳ２９には、ＢＩＯＳのＳｅｔｕｐ画面にて指定された設定内容等が記憶される。
【００３３】
ＬＰＣバス２６上にはエンベデッドコントローラ／キーボードコントローラＩＣ（ＥＣ／ＫＢＣ）２３が接続される。
【００３４】
エンベデッドコントローラ／キーボードコントローラＩＣ（ＥＣ／ＫＢＣ）２８は、電力管理等を行うためのエンベデッドコントローラと、キーボード（ＫＢ）ユニット５を制御するためのキーボードコントローラとが集積された１チップマイクロコンピュータである。
【００３５】
ＥＣ／ＫＢＣ２８にはキーボード５とパワーボタン６とＰＳＣ（Power Supply Controller）３０とが接続される。
【００３６】
ＥＣ／ＫＢＣ２８は、ＰＳＣ３０と共同してシステム電源のオン／オフ等を制御する電源シーケンス制御機能、および電源ステータス通知機能等を有する
【００３７】
電源ステータス通知機能とは、ＰＳＣ３０と共同してレジューム処理ルーチンの開始要因となるウェイクアップイベントの発生を監視し、ウェイクアップイベント発生時にシステム管理割り込みＳＭＩ（System Management Interrupt）を用いてＳｙｓｔｅｍ  ＢＩＯＳ１３ａにイベントが発生した旨を通知する機能である。
【００３８】
ウェイクアップイベントとして、パワーボタン６の押下げ操作に応じた電源スイッチ３０ａのオン、本体２に対してディスプレイユニット３を閉状態から開状態にする操作に応じたパネルスイッチ３０ｂのオン等がある。
【００３９】
ＥＣ／ＫＢＣ２８は、Ｓｙｓｔｅｍ  ＢＩＯＳ１３ａと通信を行うためのＩ／Ｏポートを有する。Ｓｙｓｔｅｍ  ＢＩＯＳ１３ａはＩ／Ｏポートを介してＥＣ／ＫＢＣ２８に設けられるコンフィグレーションレジスタに対してリード／ライトを行うことで、発生したイベントを示すステータスのリード、監視および通知するイベントの種類の設定を行う。ＥＣ／ＫＢＣ２８とＰＳＣ３０との間の通信はＩ２Ｃバスを介して行われる。
【００４０】
ＰＳＣ３０は、このシステム内の各部に対する電力供給制御を一元管理するものである。ＰＳＣ３０により直流に変換された電力は、ＤＣ／ＤＣコンバータ３２に渡され、各部が必要とする電圧に変換される。
【００４１】
ＰＳＣ３０は、ＡＣアダプタ７から供給される電流量がＡＣアダプタ７の最大定格電流量を越えないように、その電流量を常時監視している。もし、ＡＣアダプタ７の最大定格電流量を越えそうになった場合、ＰＳＣ３０は、例えばＣＰＵ１０のクロックレートを低下させるといった何らかの消費電力低減機能を作動させる。
【００４２】
ＰＳＣ３０は二次電池３１から供給される電力をＤＣ／ＤＣコンバータ３２を介してコンピュータ１内の各部に供給する。二次電池３１は交換可能に設けられる。コンピュータ１の電源がＡＣアダプタ７である場合、ＡＣアダプタ７から供給される電力は、ＰＳＣ３０を介して二次電池３１に蓄積される。
【００４３】
ユーザがパワーボタン６を操作すると、ＥＣ／ＫＢＣ２８はパワーボタン６が操作されたことを検出する。ＥＣ／ＫＢＣ２８は、パワーボタン６が操作されたことを検出すると、例えば本コンピュータ１内の各部に対して電源供給を開始するようにＰＳＣ３０に通知する。ＰＳＣ３０はＥＣ／ＫＢＣ２８からの通知に基いて、ＡＣアダプタ７または二次電池３１からコンピュータ１内の各部に対して電源供給を開始するように制御する。
【００４４】
ＥＣ／ＫＢＣ２８はシステムの電流量を監視し、例えばチップセットを介してＣＰＵ１０にストップクロック信号（ＳＴＰＣＬＫ）を与えることによりＣＰＵ１０のスロットリング制御を行なう。
【００４５】
ＥＣ／ＫＢＣ２８は、例えばＰＳＣ３０に設けられる電流センサにより検出された電流値を読取り、電源の電圧値を元にシステムの消費電力、並びに規定時間Ｔ内の平均消費電力Ｐavgを算出し、この平均消費電力Ｐavgと基準値とを比較してＣＰＵ１０をスロットリング制御する。
【００４６】
スロットリング機能とは、ＣＰＵ１０を一定間隔で動作／停止させるという間欠動作を行なうことによって、平均的なＣＰＵ処理速度を切替える機能であり、インターバルストップクロック機能あるいは間欠動作機能と称されることもある。
【００４７】
スロットリングがＤｉｓａｂｌｅになっている状態、つまりＣＰＵ１０が常に動作している状態ＣＰＵ１０の最高性能に相当し、スロットリングが任意％（動作状態に対する停止状態の割合：スロットリング比率）でＥｎａｂｌｅされている状態が最高性能ではない状態に相当する。動作状態に対する停止状態の割合（スロットリング比率）を変化させることにより、ＣＰＵ性能を多段階で制御することができる。本実施形態では、ＣＰＵ１０が常に動作している状態がデフォルトの状態として規定されており、スロットリング制御を開始するまでは、ＣＰＵ１０は常に最高性能で動作する。ＣＰＵ１０の動作状態／停止状態の切替え制御は、ストップクロック信号（ＳＴＰＣＬＫ）を用いて行なうことができる。
【００４８】
今、例えば、規定時間Ｔ＝６０秒間、予め定めた消費電力の上限値Ｐu ＝８０Ｗ、予め定めた消費電力の下限値Ｐl ＝６０Ｗ、スロットリング比率ｒ＝１２．５％、とした場合、ＥＣ／ＫＢＣ２８は、次のような制御動作を行なう。
【００４９】
ＥＣ／ＫＢＣ２８は、一定時間毎、例えば０．１秒毎に電流センサの電流値を読取り、電源の電圧値を元に電力値を算出する。そして、規定時間Ｔ、すなわち過去６０秒間の平均消費電力Ｐavg を算出し、その平均消費電力Ｐavg が８０Ｗ（上限値Ｐu ）以上となった場合にスロットリング比率が１２．５％のスロットリング制御を行なう。それでもなお、平均消費電力Ｐavg が８０Ｗを超えている場合には２５％、３７．５％、…のようにスロットリング比率を１２．５％ずつ順次増加させていく。上記スロットリング比率の増加は、平均消費電力Ｐavg が６０Ｗより低下するまで継続して行なう。
【００５０】
そして、スロットリング制御が行なわれている状態で、平均消費電力Ｐavg が６０Ｗ未満になった場合には、スロットリング比率を１２．５％ずつ順次減少させていく。このスロットリング比率の減少は、０％になるまで、もしくは平均消費電力Ｐavg が８０Ｗを超えるまで継続して行なう。次に、ＡＣアダプタの種類情報と対応づけられたコンピュータ１の動作情報を選択する設定操作について説明する。
【００５１】
図３は、ＡＣアダプタの種類情報と対応づけられたコンピュータ１の動作情報を選択する際に表示部に表示されるウィンドウの一例について説明する図である。
【００５２】
ユーザがＡＣアダプタの種類情報と対応づけられたコンピュータ１の動作情報を設定するアプリケーション（またはユーティリティ）を起動することで、図３に示す設定ウィンドウはＬＣＤ４に表示される。
【００５３】
設定ウィンドウにはＡＣアダプタの種類情報とＡＣアダプタの種類情報に対応づけられたコンピュータの動作情報とが表示される。コンピュータの動作情報はＡＣアダプタの動作情報と予め対応づけられている。
【００５４】
ＡＣアダプタの種類情報とは、例えばＡＣアダプタの電源容量に関する情報である。ＡＣアダプタの電源容量に関する情報とは、図３に示されるように「４５Ｗ（１５Ｖ×３Ａ）」「６０Ｗ（１５Ｖ×４Ａ）」「７５Ｗ（１５Ｖ×５Ａ）」といった定格出力情報である。
【００５５】
一方、コンピュータの動作情報とは、例えばコンピュータ１の消費電力を考慮した動作情報である。コンピュータ１の消費電力を考慮した動作情報とは、図３に示されるように「シャットダウン」「低消費電力動作」「通常動作」といった動作情報である。ここで、低消費電力動作とは、例えばＣＰＵ１０のスロットリング比率を増加させる動作等が考えられる。
【００５６】
本実施形態においては、ＡＣアダプタの種類情報とコンピュータの動作情報とを次のように対応づけている。この対応づけとは「ＡＣアダプタの電源容量が４５Ｗ（１５Ｖ×３Ａ）ならばコンピュータ１の動作はシャットダウン」「ＡＣアダプタの電源容量が６０Ｗ（１５Ｖ×４Ａ）ならばコンピュータ１の動作は低消費電力動作」「ＡＣアダプタの電源容量が７５Ｗ（１５Ｖ×５Ａ）ならばコンピュータ１の動作は通常動作」である。
【００５７】
ユーザはウィンドウに表示されているＡＣアダプタの種類情報とコンピュータの動作情報との組み合わせの中から設定したい組み合わせを選択する。例えば、コンピュータ１の動作を通常動作させたいならば、ユーザは「ＡＣアダプタの電源容量が７５Ｗ（１５Ｖ×５Ａ）ならばコンピュータ１の動作は通常動作」を選択する。選択された組み合わせには、ユーザによって選択されたことを示す表示がなされる。
【００５８】
選択された組み合わせに関する情報は、例えばシステムＢＩＯＳを実行することでアクセス可能なデータとして例えばＢＩＯＳ−ＲＯＭ２１等に格納される。次に、設定されたコンピュータ１の動作情報に基づいて制御されるコンピュータ１の動作設定手順について説明する。
【００５９】
図４は、設定されたコンピュータの動作情報に基づいて行われるコンピュータの起動時動作の手順の一例を示した流れ図である。なお、図３を用いて説明したＡＣアダプタの種類情報とコンピュータの動作情報との組み合わせ情報を参考に説明する。
【００６０】
コンピュータ１の起動を開始させる。ＰＳＣ３０はＡＣアダプタ７が本体２に接続されているか否かを検出し（ステップ  Ｓ９９）、検出結果をＥＣ／ＫＢＣ２８に通知する。
【００６１】
ＥＣ／ＫＢＣ２８が、ＡＣアダプタ７が本体２に接続されていると判別した場合（ステップ  Ｓ９９  Ｙｅｓ）、コンピュータ１は低消費電力モードで起動される。低消費電力モードとは、例えばＣＰＵ１０のスロットリング比率を増加させてＣＰＵ１０を動作させるモードである（ステップ  Ｓ１００）。一方、ＥＣ／ＫＢＣ２８が、ＡＣアダプタ７が本体２に接続されていると判別しなかった場合（ステップ  Ｓ９９  Ｎｏ）、通常モードでコンピュータ１は起動される。
【００６２】
コンピュータ１の起動時に、ＣＰＵ１０はシステムＢＩＯＳを実行することで、図３を用いて説明した選択設定されている情報を取得する。選択設定されている情報とは、ＡＣアダプタの種類情報とコンピュータの動作情報との組み合わせ情報である（ステップ  Ｓ１０１）。
【００６３】
システムＢＩＯＳは取得した選択設定されている情報に含まれるＡＣアダプタの種類情報に基づいて、ＡＣアダプタの種類を判別する（ステップ  Ｓ１０２）。
【００６４】
システムＢＩＯＳがＡＣアダプタの種類を「電源容量が４５ＷのＡＣアダプタである」と判別した場合（ステップ  Ｓ１０２  ４５Ｗ）、システムＢＩＯＳは、このＡＣアダプタの種類情報（電源容量が４５Ｗ）と対応付けられているコンピュータ１の動作情報（シャットダウン）に基づいてコンピュータ１を制御する。すなわち、システムＢＩＯＳはコンピュータ１をシャットダウン制御する（ステップ  Ｓ１０３）。
【００６５】
システムＢＩＯＳがＡＣアダプタの種類を「電源容量が６０ＷのＡＣアダプタである」と判別した場合（ステップ  Ｓ１０２  ６０Ｗ）、システムＢＩＯＳは、このＡＣアダプタの種類情報（電源容量が６０Ｗ）と対応付けられているコンピュータ１の動作情報（低消費電力動作）に基づいてコンピュータ１を制御するように動作設定する。すなわち、システムＢＩＯＳはコンピュータ１の起動処理後、コンピュータ１を低消費電力モードで動作させるように設定する（ステップ  Ｓ１０４）。
【００６６】
システムＢＩＯＳがＡＣアダプタの種類を「電源容量が７５ＷのＡＣアダプタである」と判別した場合（ステップ  Ｓ１０２  ７５Ｗ）、システムＢＩＯＳは、このＡＣアダプタの種類情報（電源容量が７５Ｗ）と対応付けられているコンピュータ１の動作情報（通常動作）に基づいてコンピュータ１を制御するように動作設定する。すなわち、システムＢＩＯＳはコンピュータ１の起動処理後、コンピュータ１を通常動作モードで動作させるように設定する（ステップ  Ｓ１０５）。
【００６７】
システムＢＩＯＳによるステップＳ１０４およびステップＳ１０５の処理後、コンピュータ１の起動処理は終了する。次に、設定されたコンピュータ１の動作情報に基づいて制御されるコンピュータ１の動作手順について説明する。
【００６８】
図５は、設定されたコンピュータ１の動作情報に基づいて行われるコンピュータの起動後の動作の手順の一例を示した流れ図である。なお、図３を用いて説明したＡＣアダプタの種類情報とコンピュータの動作情報との組み合わせ情報を参考に説明する。
【００６９】
コンピュータ１の動作中において、図３を用いて説明したアプリケーションを起動させ、ユーザが新たにＡＣアダプタの種類情報とコンピュータの動作情報との組み合わせ情報を選択設定する場合（ステップ  Ｓ２０１）、新たに選択設定された組み合わせに関する情報は、システムＢＩＯＳを実行することでアクセス可能なデータとしてＢＩＯＳ−ＲＯＭ２１等に格納される（ステップ  Ｓ２０２）。
【００７０】
組み合わせに関する情報が新たに例えばＢＩＯＳ−ＲＯＭに格納された後、システムＢＩＯＳは、選択設定されている情報に含まれるＡＣアダプタの種類情報に基づいて、ＡＣアダプタの種類を判別する（ステップ  Ｓ２０３）。
【００７１】
システムＢＩＯＳがＡＣアダプタの種類を「電源容量が４５ＷのＡＣアダプタである」と判別した場合（ステップ  Ｓ２０３  ４５Ｗ）、システムＢＩＯＳは、このＡＣアダプタの種類情報（電源容量が４５Ｗ）と対応付けられているコンピュータ１の動作情報（シャットダウン）に基づいてコンピュータ１を制御する。すなわち、システムＢＩＯＳはコンピュータ１のシャットダウン処理を開始させる（ステップ  Ｓ２０４）。
【００７２】
システムＢＩＯＳがＡＣアダプタの種類を「電源容量が６０ＷのＡＣアダプタである」と判別した場合（ステップ  Ｓ２０３  ６０Ｗ）、システムＢＩＯＳは、このＡＣアダプタの種類情報（電源容量が６０Ｗ）と対応付けられているコンピュータ１の動作情報（低消費電力動作）に基づいてコンピュータ１を制御する。すなわち、システムＢＩＯＳはコンピュータ１を低消費電力モードで動作させる（ステップ  Ｓ２０５）。
【００７３】
システムＢＩＯＳがＡＣアダプタの種類を「電源容量が７５ＷのＡＣアダプタである」と判別した場合（ステップ  Ｓ２０３  ７５Ｗ）、システムＢＩＯＳは、このＡＣアダプタの種類情報（電源容量が７５Ｗ）と対応付けられているコンピュータ１の動作情報（通常動作）に基づいてコンピュータ１を制御する。すなわち、システムＢＩＯＳはコンピュータ１を通常動作モードで動作させる（ステップ  Ｓ２０６）。
【００７４】
例えばＡＣアダプタの電源容量といったＡＣアダプタの種類に関する情報と対応付けられたコンピュータの動作内容情報をユーザが任意に選択設定可能とすることで、ユーザが意図して選択したコンピュータの動作内容情報に基づいてコンピュータ１を動作することが可能となる。
【００７５】
また、ＡＣアダプタの種類に関する情報とＡＣアダプタの種類に関する情報に対応付けられたコンピュータの動作内容情報をＬＣＤ４に表示させることで、ユーザは、例えばコンピュータ１を通常動作させるために適切なＡＣアダプタの種類に関する情報を認識することが可能となる。
【００７６】
本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【００７７】
【図１】ディスプレイユニットを本体に対して開いた状態の一例を示す斜視図。
【図２】コンピュータの構成の一例を示す図。
【図３】ＡＣアダプタの種類情報と対応づけられたコンピュータの動作情報を選択する際に表示部に表示されるウィンドウの一例について説明する図。
【図４】設定されたコンピュータの動作情報に基づいて行われるコンピュータの起動時動作の手順の一例を示した流れ図。
【図５】設定されたコンピュータの動作情報に基づいて行われるコンピュータの起動後動作の手順の一例を示した流れ図。
【符号の説明】
【００７８】
１…コンピュータ、２…本体、３…表示ユニット、４…ＬＣＤ、
５…キーボード、６…パワーボタン、７…ＡＣアダプタ、１０…ＣＰＵ、
１３ａ…Ｓｙｓｔｅｍ  ＢＩＯＳ、１３ｂ…ＯＳ、２７…ＢＩＯＳ−ＲＯＭ、
２８…ＥＣ／ＫＢＣ、３０…ＰＳＣ、３２…ＤＣ／ＤＣコンバータ、
【図１】
2007102371.tif 000003
【図２】
2007102371.tif 000004
【図３】
2007102371.tif 000005
【図４】
2007102371.tif 000006
【図５】
2007102371.tif 000007